(57)【特許請求の範囲】
【請求項１】
少なくとも、照度センサ、温度センサおよび湿度センサを含むセンサ部と、
前記温度センサにより検出される温度及び前記湿度センサにより検出される湿度に基づく健康情報を複数の異なる媒体により報知する報知部と、
前記複数の異なる媒体における各々の出力レベルの組合せが異なる複数の動作モードのうち、特定の動作モードを設定し、前記報知部に対して、前記照度センサにより検出される照度に応じて、前記設定されている前記特定の動作モードにおける媒体の出力レベルを変更する制御を実行する制御部と、
を備える健康情報喚起装置。
【請求項２】
前記報知部は、前記複数の異なる媒体による報知として、文字による表示と光による点灯と音声による再生、文字による表示と光による点灯、及び、文字による表示と音声による再生のいずれであっても実行可能とする、
ことを特徴とする請求項１に記載の健康情報喚起装置。
【請求項３】
前記制御部は、前記報知部に対して、前記光による点灯及び前記音声による再生のうちの少なくともいずれかである際には、前記照度センサにより検出される照度に応じて、前記設定されている前記特定の動作モードにおける報知タイミングの頻度を変更する制御を実行する、
ことを特徴とする請求項２に記載の健康情報喚起装置。
【請求項４】
前記制御部は、前記報知部に対して、前記照度センサにより検出される照度に応じて、前記設定されている前記特定の動作モードにおける報知タイミングの頻度を変更する制御を実行する、
ことを特徴とする請求項１に記載の健康情報喚起装置。
【請求項５】
前記制御部は、前記健康情報として複数の異なる健康情報が存在する場合、前記報知部に対して、前記文字による表示のときには前記複数の異なる健康情報のうち重複する健康情報のすべてを表示し、前記光による点灯のときには前記複数の異なる健康情報のうち優先順位の高い健康情報だけを点灯し、前記音声による再生のときには前記複数の異なる健康情報のうち優先順位の高い健康情報だけを再生する制御を実行する、
ことを特徴とする請求項２に記載の健康情報喚起装置。
【発明の詳細な説明】
【技術分野】
【０００１】
本発明は、健康情報を報知して喚起する健康情報喚起装置に関する。
【背景技術】
【０００２】
従来より、温度および湿度を測定し、測定温度および測定湿度に応じて人間の健康状態に関する情報を表示する健康状態表示装置が知られている（例えば、特許文献１参照）。
【先行技術文献】
【特許文献】
【０００３】
【特許文献１】特開昭６３−３０５２８３号公報
【発明の概要】
【発明が解決しようとする課題】
【０００４】
特許文献１に記載のような装置では、昼から夜への変化等の照度の変化に応じて、適切な出力形態で健康情報をユーザに報知することが望まれている。一方で、重要な健康情報は、ユーザに確実に報知されることが望まれている。
【０００５】
本発明は上述した点に鑑みてなされたものであり、健康情報を適切な出力形態でユーザに報知して喚起できる健康情報喚起装置を提供することを目的の一つとする。
【課題を解決するための手段】
【０００６】
上記課題を解決するために、本発明の一の態様は、
少なくとも、照度センサ、温度センサおよび湿度センサを含むセンサ部と、
温度センサにより検出される温度及び湿度センサにより検出される湿度に基づく健康情報を複数の異なる媒体により報知する報知部と、
複数の異なる媒体における各々の出力レベルの組合せが異なる複数の動作モードのうち、特定の動作モードを設定し、報知部に対して、照度センサにより検出される照度に応じて、設定されている特定の動作モードにおける媒体の出力レベルを変更する制御を実行する制御部と、
を備える健康情報喚起装置である。
この構成により、照度に応じた制御が可能となり、照度が低くなる夜間やユーザの不在時等に適切な制御を行うことが可能となる。また、複数のモードが設定可能とされている場合に、特定のモードが設定されている場合のみに照度に応じた制御を実行することができる。
【０００７】
上記健康情報喚起装置において、報知部は、複数の異なる媒体による報知として、文字による表示と光による点灯と音声による再生、文字による表示と光による点灯、及び、文字による表示と音声による再生のいずれであっても実行可能とする、
ことを特徴としてもよい。
【０００８】
上記健康情報喚起装置において、制御部は、報知部に対して、光による点灯及び音声による再生のうちの少なくともいずれかである際には、照度センサにより検出される照度に応じて、設定されている特定の動作モードにおける報知タイミングの頻度を変更する制御を実行する、
ことを特徴としてもよい。
【０００９】
上記健康情報喚起装置において、制御部は、報知部に対して、照度センサにより検出される照度に応じて、設定されている特定の動作モードにおける報知タイミングの頻度を変更する制御を実行する、
ことを特徴としてもよい。
【００１０】
上記健康情報喚起装置において、制御部は、健康情報として複数の異なる健康情報が存在する場合、報知部に対して、文字による表示のときには複数の異なる健康情報のうち重複する健康情報のすべてを表示し、光による点灯のときには複数の異なる健康情報のうち優先順位の高い健康情報だけを点灯し、音声による再生のときには複数の異なる健康情報のうち優先順位の高い健康情報だけを再生する制御を実行する、
ことを特徴としてもよい。
【発明の効果】
【００１３】
本発明の少なくとも一の実施形態によれば、健康情報を適切な出力形態でユーザに報知して喚起できる。なお、本明細書において例示された効果により本発明の内容が限定して解釈されるものではない。
【図面の簡単な説明】
【００１４】
【図１】図１Ａ、図１Ｂおよび図１Ｃは、温湿度計の外観形状を示す図である。
【図２】図２は、温湿度計の電気的な構成を示すブロック図である。
【図３】図３は、表示部の表示内容を説明するための図である。
【図４】図４は、表示部に表示される健康情報を規定するテーブルを示す図である。
【図５】図５は、光出力部の発光色を規定するテーブルを示す図である。
【図６】図６は、音声メニューおよび音声メニューに対応した音声内容を示す図である。
【図７】図７は、音声出力部から再生される音声メニューを規定するテーブルを示す図である。
【図８】図８は、温湿度計に設定可能な動作モードを説明するための図である。
【図９】図９Ａ乃至図９Ｅは、照度が閾値を下回る場合に、設定中の動作モードに対応して行われる制御を説明するための図である。
【発明を実施するための形態】
【００１５】
以下、本発明の一実施形態等について図面を参照しながら説明する。なお、説明は以下の順序で行う。
＜１．一実施形態＞
＜２．変形例＞
但し、以下に示す実施形態等は、本発明の技術思想を具体化するための構成を例示するものであって、本発明は例示された構成に限定されるものではない。なお、特許請求の範囲に示される部材を、実施形態の部材に特定するものではない。特に、実施形態に記載されている構成部材の寸法、材質、形状、その相対的配置、上下左右等の方向の記載等は特に限定する旨の記載がない限りは、本発明の範囲をそれのみに限定する趣旨ではなく、単なる説明例にすぎない。なお、各図面が示す部材の大きさや位置関係等は、説明を明確にするため誇張していることがあり、また、図示が煩雑となることを防止するために、参照号符号の一部のみを図示する場合もある。さらに以下の説明において、同一の名称、符号については同一もしくは同質の部材を示しており、重複する説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一実施形態において説明された内容は、適宜、変形例に適用可能である。
【００１６】
＜１．一実施形態＞
始めに、本発明の一実施形態について説明する。一実施形態は、本発明の健康情報喚起装置を、温度および湿度を検出可能な温湿度計に適用した例である。
【００１７】
「温湿度計の外観形状について」
図１Ａ乃至図１Ｃは、本発明の一実施形態における温湿度計（温湿度計１）の外観形状を示しており、図１Ａは温湿度計１の正面図、図１Ｂは温湿度計１の右側面図、図１Ｃは温湿度計１の背面図である。図１に示すように温湿度計１は、携帯可能な程度の大きさとされており、略円盤状のベース１１と、ベース１１の中央付近から上方に向かって突出する円筒状の突出部１２とを備えている。ベース１１および突出部１２は、例えば光透過性樹脂により構成されている。
【００１８】
突出部１２の下方には、音声出力部２３ｂが設けられている。一実施形態では、音声出力部２３ｂはスピーカによって構成されている。また、ベース１１の表面には、入力部２４が設けられている。一実施形態では、入力部２４はプッシュスイッチによって構成されている。
【００１９】
また、突出部１２の先端付近には、光出力部２３ａ設けられている。一実施形態では、光出力部２３ａは、少なくとも温湿度計１を前面から見た場合に、発光／非発光および発光色を認識できるように、ＬＥＤ(Light Emitting Diode)が突出部１２の先端付近に内蔵されることによって構成されている。
また、図１Ｃに示すように、突出部１２の背面側には、表示部２５が設けられている。一実施形態では、表示部２５はＬＣＤ(Liquid Crystal Display)によって構成され、温度、湿度、所定の情報等が表示される。
【００２０】
「温湿度計の電気的な構成について」
図２は、温湿度計１の電気的な構成を示すブロック図である。温湿度計１は、制御部２１と、センサ部２２と、報知部２３と、入力部２４と、表示部２５とを備えている。
【００２１】
制御部２１は、例えば、ＣＰＵ(Central Processing Unit)、ＲＯＭ(Read Only Memory)、ＲＡＭ(Random Access Memory)およびタイマーによって構成されており、温湿度計１の各部を制御する。ＲＯＭは、温湿度計１の各部を制御して機能させるためのプログラムを記憶する。ＲＡＭは、ＣＰＵがプログラムを実行する際のワークメモリとして使用される。タイマーは、時間を測定する。
【００２２】
センサ部２２は、少なくとも、照度センサ２２ａと、温度センサ２２ｂと、湿度センサ２２ｃと、センサ情報処理部２２ｄとを含んで構成されている。照度センサ２２ａは、ベース１１の内部に収納されており、ベース１１の表面（光透過性樹脂）を透過して内部に入り込む光に基づいて温湿度計１の周囲の照度を検出する。温度センサ２２ｂは、温湿度計１の周囲の温度を検出する。湿度センサ２２ｃは、温湿度計１の周囲の湿度を検出する。
【００２３】
センサ情報処理部２２ｄは、増幅回路およびＡ(Analog)／Ｄ(Digital)変換回路によって構成されており、各センサから出力されるアナログ信号をそれぞれ増幅し、それぞれデジタル信号に変換するものである。なお、照度センサ２２ａ、温度センサ２２ｂおよび湿度センサ２２ｃのそれぞれに対応して、増幅回路における増幅率や回路構成が異なるセンサ情報処理部が備えられていてもよい。
【００２４】
報知部２３は、先述した光出力部２３ａおよび音声出力部２３ｂによって構成されており、所定の情報を報知するものである。先述したように光出力部２３ａとして構成されるＬＥＤは、赤、青、緑のチップを備えた所謂、フルカラーのＬＥＤが用いられ、制御部２１による制御に応じて、光により所定の情報を報知する。光出力部２３ａは、段階的に照度を上げ、若しくは下げるようにして点灯および消灯がなされる。
また、音声出力部２３ｂを構成するスピーカは、制御部２１による制御に応じて、音により所定の情報を報知する。
【００２５】
入力部２４は、先述したようにプッシュスイッチから構成されている。入力部２４は、入力操作に対応した操作信号を生成し、当該操作信号を制御部２１に供給する。制御部２１は、操作信号に基づいて各種の制御を実行する。なお、入力部２４に対する操作に応じて行われる動作については後述する。表示部２５は、制御部２１による制御に応じて、所定の情報を表示する。
【００２６】
なお、図示は省略しているが、温湿度計１は電源部を有している。一実施形態における電源部は、乾電池やコイン型の電池等の一次電池である。これらの一次電池を温湿度計１から取り外すことにより温湿度計１の電源がオフされる。
【００２７】
以上のように構成された温湿度計１は、所定の情報として、温度および湿度に基づく環境的に見て人間の健康に影響を及ぼす可能性がある情報（適宜、健康情報と称する）、例えば、「カビ・ダニが発生するおそれ」、「インフルエンザに罹患するおそれ」、「食中毒が発生するおそれ」、「熱中症にかかるおそれ」を報知してユーザに喚起する。なお、報知方法に応じて、各健康情報を適宜、簡略化等することは何ら差し支えない。
【００２８】
「表示部による表示について」
次に、表示部２５の表示について説明する。図３は、表示部２５の表示内容を説明するための図である。図３に示すように、表示部２５には、文字情報Ｉ１０（温度センサ２２ｂによって取得される温度）と、文字情報Ｉ２０（湿度センサ２２ｃによって取得される湿度）と、電池の残量を示すアイコンＩ３０と、文字情報Ｉ４０とが表示可能とされている。文字情報Ｉ４０は、健康情報を適宜、簡略化したものである。
【００２９】
図４は、文字情報Ｉ４０の内容を規定するテーブル（テーブルＴＡ１０）を示している。テーブルＴＡ１０は、温度センサ２２ｂにより検出された温度と湿度センサ２２ｃにより検出された湿度とに基づいて、文字情報Ｉ４０として表示部２５に表示させるための健康情報を判断するためのデータとして、制御部２１のＲＯＭに記憶されている。
【００３０】
図４に示すように、テーブルＴＡ１０において、横軸が温度センサ２２ｂによって検出される温度を示しており、この例では６℃から１℃刻みで４０℃までが規定されている。また、テーブルＴＡ１０において、縦軸が湿度センサ２２ｃによって検出される湿度を示しており、この例では２０％から５％刻みで１００％までが規定されている。温度および湿度に応じて複数の領域が規定されている。なお、実際に検出された温度、湿度を例えば四捨五入して、現在の環境がテーブルＴＡ１０における何れの領域に属するかが判断されるようになされている。また、一または複数の領域からなる範囲に健康情報が割り当てられている場合があり、制御部２１は、テーブルＴＡ１０を参照して、現在の温度および湿度に対応した健康情報が存在する場合には当該健康情報を文字情報Ｉ４０として表示部２５に表示する。以下、テーブルＴＡ１０の内容およびテーブルＴＡ１０に基づいて行われる表示部２５への文字情報Ｉ４０の表示処理について説明する。
【００３１】
テーブルＴＡ１０の中央付近の範囲ＡＲ１（ハッチングが付されていない範囲であり、例えば、温度が２３℃であり、且つ、湿度が３５％〜５５％である範囲を含む範囲）は、ダニ、熱中症等が発生するおそれがない若しくは低いため、文字情報Ｉ４０としては何も表示しない。なお、温度および湿度が範囲ＡＲ１の何れかの領域に対応する場合でも表示部２５には、文字情報Ｉ１０、文字情報Ｉ２０およびアイコンＩ３０は表示される。
【００３２】
テーブルＴＡ１０の左下寄りの範囲ＡＲ２（右上がりの斜線が付された範囲であり、例えば、温度が１２℃であり、且つ、湿度が２０％〜６５％の範囲を含む範囲）は、「インフルエンザに罹患するおそれ」があるため、文字情報Ｉ４０として「インフルエンザ」が表示部２５に表示される。
【００３３】
テーブルＴＡ１０の上部半分である範囲ＡＲ３（小さな点が付された範囲であり、例えば、温度が６℃〜４０℃であり、且つ、湿度が７０％〜１００％の範囲）は、「カビ・ダニが発生するおそれ」があるため、文字情報Ｉ４０として「カビ・ダニ」が表示部２５に表示される。
【００３４】
テーブルＴＡ１０の上部右寄りの範囲ＡＲ４（大きな点が付された範囲であり、例えば、温度が２０℃〜４０℃であり、且つ、湿度が６０％〜９５％の範囲）は、「食中毒が発生するおそれ」があるため、文字情報Ｉ４０として「食中毒」が表示部２５に表示される。
【００３５】
テーブルＴＡ１０の右寄りの範囲ＡＲ５（右下がりの斜線が付された範囲であり、例えば、温度が３４℃であり、且つ、湿度が２０％〜１００％である範囲を含む範囲）は、「熱中症にかかるおそれ」があるため、文字情報Ｉ４０として「熱中症」が表示部２５に表示される。
【００３６】
なお、テーブルＴＡ１０において、複数の健康情報が重複する範囲が存在する。例えば、テーブルＴＡ１０において、範囲ＡＲ６（例えば、温度が７℃であり、且つ、湿度が７０％〜８５％である範囲を含む範囲）は、範囲ＡＲ２と範囲ＡＲ３とが重なる範囲である。現在の温度および湿度が範囲ＡＲ６の何れかの領域に対応している場合には、範囲ＡＲ２に対応する健康情報（「インフルエンザ」）および範囲ＡＲ３に対応する健康情報（「カビ・ダニ」）の両方が、文字情報Ｉ４０として表示部２５に表示される。
【００３７】
同様に、現在の温度および湿度が、範囲ＡＲ３と範囲ＡＲ４とが重なる範囲である範囲ＡＲ７の何れかの領域に対応している場合には、範囲ＡＲ３に対応する健康情報（「カビ・ダニ」）および範囲ＡＲ４に対応する健康情報（「食中毒」）の両方が、文字情報Ｉ４０として表示部２５に表示される。
【００３８】
同様に、現在の温度および湿度が、範囲ＡＲ３と範囲ＡＲ４と範囲ＡＲ５とが重なる範囲である範囲ＡＲ８の何れかの領域に対応している場合には、範囲ＡＲ３に対応する健康情報（「カビ・ダニ」）、範囲ＡＲ４に対応する健康情報（「食中毒」）および範囲ＡＲ５に対応する健康情報（「熱中症」）の全てが、文字情報Ｉ４０として表示部２５に表示される。
【００３９】
なお、制御部２１は、照度センサ２２ａによって検出される照度に関係なく、テーブルＴＡ１０を参照して温度および湿度に対応した健康情報が存在する場合には、当該健康情報を文字情報Ｉ４０として表示部２５に表示する。
【００４０】
「光出力部による報知について」
次に、光出力部２３ａによる報知について説明する。図５は、光出力部２３ａの発光条件（発光／非発光および発光色）を規定するテーブル（テーブルＴＡ２０）を示している。なお、テーブルＴＡ２０は、温度センサ２２ｂにより検出された温度と湿度センサ２２ｃにより検出された湿度とに基づいて、光出力部２３ａを健康情報に対応した発光色で発光させるための、発光色を判断するためのデータとして制御部２１のＲＯＭに記憶されている。
【００４１】
一実施形態では、「カビ・ダニが発生するおそれ」がある場合には光出力部２３ａの発光色として「紫」が割り当てられ、「インフルエンザに罹患するおそれ」がある場合には光出力部２３ａの発光色として「青」が割り当てられ、「食中毒が発生するおそれ」がある場合には光出力部２３ａの発光色として「緑」が割り当てられ、「熱中症にかかるおそれ」がある場合には光出力部２３ａの発光色として「赤」が割り当てられている。なお、何れの健康情報にも該当しない場合は、発光色は割り当てておらず光出力部２３ａは発光しない。
【００４２】
図５に示すように、テーブルＴＡ２０において、横軸が温度センサ２２ｂによって検出される温度を示しており、この例では６℃から１℃刻みで４０℃までが規定されている。また、テーブルＴＡ２０において、縦軸が湿度センサ２２ｃによって検出される湿度を示しており、この例では２０％から５％刻みで１００％までが規定されている。温度および湿度に応じて複数の領域が規定されている。なお、実際に検出された温度、湿度を例えば四捨五入して、現在の環境がテーブルＴＡ２０における何れの領域に属するかが判断されるようになされている。
【００４３】
また、一または複数の領域からなる範囲毎に、健康情報に対応した光出力部２３ａの発光色が割り当てられている場合があり、制御部２１は、テーブルＴＡ２０を参照して現在の温度および湿度に対応した発光色が存在する場合には当該発光色でもって光出力部２３ａを発光させる。以下、テーブルＴＡ２０の内容およびテーブルＴＡ２０に基づいて行われる光出力部２３ａの発光処理について説明する。
【００４４】
テーブルＴＡ２０の中央付近の範囲ＡＲ１１（ハッチングが付されていない範囲であり、例えば、温度が２３℃で湿度が３５％〜５５％の範囲を含む範囲）は、ダニ、熱中症等が発生するおそれがない若しくは低いため、光出力部２３ａを発光せず（非発光）にユーザに何も報知しないようにしている。
【００４５】
テーブルＴＡ２０の左下付近である範囲ＡＲ１２（右上がりの斜線が付された範囲であり、例えば、温度が１２℃であり、且つ、湿度が２０％〜６５％の範囲を含む範囲）は、「インフルエンザに罹患しやすいおそれ」があるため、光出力部２３ａを青色で発光させる。
【００４６】
テーブルＴＡ２０の左上付近の範囲ＡＲ１３（右下がりの斜線が付された範囲であり、例えば、温度が１２℃であり、且つ、湿度が７０％〜１００％の範囲を含む範囲）は、「カビ・ダニが発生するおそれ」があるため、光出力部２３ａを紫色で発光させる。
【００４７】
テーブルＴＡ２０の中央上寄りの範囲ＡＲ１４（間隔が狭い右上がりの斜線が付された範囲であり、例えば、温度が２１℃であり、且つ、湿度が６０％〜９５％である範囲を含む範囲）は、「食中毒が発生するおそれ」があるため、光出力部２３ａを緑色で発光させる。
【００４８】
テーブルＴＡ２０の右寄りの範囲ＡＲ１５（間隔が狭い右下がりの斜線が付された範囲であり、例えば、温度が３０℃であり、且つ、湿度が４５％〜１００％である範囲を含む範囲）は、「熱中症にかかるおそれ」があるため、光出力部２３ａを赤色で発光させる。
【００４９】
なお、複数の健康情報が重複する範囲（例えば、テーブルＴＡ１０における範囲ＡＲ６，範囲ＡＲ７、範囲ＡＲ８に該当する範囲）の場合には、制御部２１は、優先順位に基づいて一の健康情報を特定し、当該一の健康情報に対応した発光色となるように光出力部２３ａを制御する。一実施形態では、健康情報の喚起の必要性を考慮して、以下のように優先順位を設定している。
・（優先順位高）  熱中症，インフルエンザ＞食中毒＞カビ・ダニ  （優先順位低）
なお、複数の健康情報として、熱中症およびインフルエンザが重複する範囲はないので両者は同列の順位として設定している。
【００５０】
具体例について説明する。例えば、温度が７℃であり湿度が８０％である場合には、インフルエンザに罹患するおそれもあり、カビ・ダニが発生するおそれもある。このため、テーブルＴＡ１０では両方の健康情報を規定しており、当該健康情報の全てを文字情報Ｉ４０として表示している。しかしながら、テーブルＴＡ２０では、優先順位がより高い「インフルエンザ」に対応した発光色（青色）のみが規定されており、光による健康情報の報知では、青色のみで光出力部２３ａを発光させるようになされる。
【００５１】
例えば、温度が２１℃であり湿度が９０％である場合には、食中毒が発生するおそれもあり、カビ・ダニが発生するおそれもある。このため、テーブルＴＡ１０では両方の健康情報を規定しており、当該健康情報の全てを文字情報Ｉ４０として表示している。しかしながら、テーブルＴＡ２０では、優先順位がより高い「食中毒」に対応した発光色（緑色）のみが規定されており、光による健康情報の報知では、緑色のみで光出力部２３ａを発光させるようになされる。
【００５２】
例えば、温度が２８℃であり湿度が９０％である場合には、食中毒が発生するおそれもあり、カビ・ダニが発生するおそれもあり、熱中症にかかるおそれもある。このため、テーブルＴＡ１０では３つの健康情報を規定しており、当該健康情報の全てを文字情報Ｉ４０として表示している。しかしながら、テーブルＴＡ２０では、優先順位が最も高い「熱中症」に対応した発光色（赤色）のみが規定されており、光による健康情報の報知では、赤色のみで光出力部２３ａを発光させるようになされる。
【００５３】
複数の健康情報が存在する場合に、光出力部２３ａの発光色を順次切り替えて発光させたり、複数の光出力部を設け、発光色を異なるようにして各光出力部を発光させる方法も考えられる。しかしながら、それでは現在、最も注意すべき健康情報、換言すれば、健康情報の優劣がユーザにとって把握しづらくなるおそれがあり、また、コストの増加を招く。そこで、一実施形態では、健康情報に優先順位を設定し当該優先順位に基づく健康情報に対応した発光色で光出力部２３ａを発光させるようにしている。
【００５４】
「音声出力部による報知について」
次に、音声を使用した健康情報の報知について説明する。始めに、音声出力部２３ｂが再生可能な音声のメニュー（音声メニュー）について説明する。図６は、音声メニューの一覧を示している。図６に示す音声メニューに対応する音声データを、制御部２１による制御に応じて音声出力部２３ｂが生成し、生成した音声データに対応する音声を再生する。
【００５５】
音声メニュー１では「インフルエンザの危険があります」という音声データが生成され、当該音声データに対応する音声が音声出力部２３ｂから再生される。音声メニュー２では「カビ発生の可能性があります」という音声データが生成され、当該音声データに対応する音声が音声出力部２３ｂから再生される。他の音声メニューについては図示の通りであるので説明を省略する。なお、音声メニュー１５〜２０は後述する動作モードの設定がなされるときに再生される音声であり、音声メニュー１５〜２０のそれぞれが、後述するモード１〜６のそれぞれに対応している。音声メニュー２１は、電池が残量不足（例えば、電池電圧が３．６Ｖ（ボルト）以下）で入力部２４が操作されたときに再生される音声である。
【００５６】
次に、図７に示す再生対象の音声メニューを規定するテーブル（テーブルＴＡ３０）について説明する。図７に示すように、テーブルＴＡ３０において、横軸が温度センサ２２ｂによって検出される温度を示しており、この例では６℃から１℃刻みで４０℃までが規定されている。また、テーブルＴＡ３０において、縦軸が湿度センサ２２ｃによって検出される湿度を示しており、この例では２０％から５％刻みで１００％までが規定されている。温度および湿度に応じて複数の領域が規定されている。なお、実際に検出された温度、湿度を例えば四捨五入して、現在の環境がテーブルＴＡ３０における何れの領域に属するかが判断されるようになされている。
【００５７】
また、図７に示すように、テーブルＴＡ３０において、括弧付きの番号が付されている領域と付されていない領域とが存在する。括弧付きの番号が付されていない領域は、何れの健康情報にも該当しないため音声による報知が行われない。括弧付きの番号には、再生対象の音声メニューが対応付けられている。テーブルＴＡ３０における括弧付きの番号と音声メニューとの対応関係は以下の通りである。
【００５８】
［テーブルＴＡ３０における括弧付きの番号］−［音声メニュー］
（１）−音声メニュー２，１４
（２）−音声メニュー１，８
（３）−音声メニュー１，１３
（４）−音声メニュー６，９
（５）−音声メニュー４，９
（６）−音声メニュー５，１０
（７）−音声メニュー３，１０
（８）−音声メニュー２，１４
（９）−音声メニュー４，１２
（１０）−音声メニュー５，１２
（１１）−音声メニュー３，１２
【００５９】
なお、テーブルＴＡ３０は、温度センサ２２ｂにより検出された温度と湿度センサ２２ｃにより検出された湿度とに基づいて、音声出力部２３ｂにより再生する音声メニューを判断するためのデータとして制御部２１のＲＯＭに記憶されている。制御部２１は、テーブルＴＡ３０を参照して、現在の温度および湿度に対応した音声メニューが存在する場合には、当該音声メニューが音声出力部２３ｂから再生されるように制御する。以下、テーブルＴＡ３０の内容およびテーブルＴＡ３０に基づいて行われる音声出力部２３ｂの再生処理について説明する。
【００６０】
テーブルＴＡ３０において（２）または（３）が付された領域に現在の温度および湿度が対応している場合には「インフルエンザに罹患しやすいおそれ」がある旨およびその対策を音声で報知する。テーブルＴＡ３０において（２）が付された領域に現在の温度および湿度が対応している場合には、（２）に対応付けられた音声メニュー１，８が順次、再生される。テーブルＴＡ３０において（３）が付された領域に現在の温度および湿度が対応している場合には、（３）に対応付けられた音声メニュー１，１３が順次、再生される。
【００６１】
テーブルＴＡ３０において（１）または（８）が付された領域に現在の温度および湿度が対応している場合には「カビ・ダニが発生するおそれ」がある旨およびその対策を音声で報知する。テーブルＴＡ３０において（１），（８）が付された領域に現在の温度および湿度が対応している場合には、（１），（８）のそれぞれに対応付けられた音声メニュー２，１４が順次、再生される。
【００６２】
テーブルＴＡ３０において（４）が付された領域に現在の温度および湿度が対応している場合には「食中毒が発生するおそれ」がある旨およびその対策を音声で報知する。テーブルＴＡ３０において（４）が付された領域に現在の温度および湿度が対応している場合には、（４）に対応付けられた音声メニュー６，９が順次、再生される。
【００６３】
テーブルＴＡ３０において（５），（６），（７），（９），（１０），（１１）が付された領域に現在の温度および湿度が対応している場合には「熱中症にかかるおそれ」がある旨およびその対策を音声で報知する。なお、熱中症にかかるおそれは、温度および湿度に応じて高低があるため、一実施形態では、熱中症にかかるおそれを「危険」、「厳重警戒」、「警戒」に分類して細かく報知するようにしている。
【００６４】
テーブルＴＡ３０において（５）が付された領域に現在の温度および湿度が対応している場合には、（５）に対応付けられた音声メニュー４，９が順次、再生される。テーブルＴＡ３０において（６）の領域に温度および湿度が対応している場合には、（６）に対応付けられた音声メニュー５，１０が順次、再生される。テーブルＴＡ３０において（７）が付された領域に現在の温度および湿度が対応している場合には、（７）に対応付けられた音声メニュー３，１０が順次、再生される。
【００６５】
テーブルＴＡ３０において（９）が付された領域に現在の温度および湿度が対応している場合には、（９）に対応付けられた音声メニュー４，１２が順次、再生される。テーブルＴＡ３０において（１０）が付された領域に現在の温度および湿度が対応している場合には、（１０）に対応付けられた音声メニュー５，１２が順次、再生される。テーブルＴＡ３０において（１１）が付された領域に現在の温度および湿度が対応している場合には、（１１）に対応付けられた音声メニュー３，１２が順次、再生される。
【００６６】
なお、音声による報知も、健康情報に対して設定された優先順位に基づいて行われる。優先順位は、先述した優先順位と同様である。
【００６７】
具体例について説明する。例えば、温度が７℃であり湿度が８０％である場合には、インフルエンザに罹患するおそれもあり、カビ・ダニが発生するおそれもある。このため、テーブルＴＡ１０では両方の健康情報を規定しており、当該健康情報の全てを文字情報Ｉ４０として表示している。しかしながら、テーブルＴＡ３０では、優先順位がより高い「インフルエンザ」に対応した括弧付き番号である（２）のみが規定されている。そして、音声出力部２３ｂを使用した音声による報知では、（２）に対応する音声メニュー１，８のみを再生するようになされる。
【００６８】
例えば、温度が２１℃であり湿度が９０％である場合には、食中毒が発生するおそれもあり、カビ・ダニが発生するおそれもある。このため、テーブルＴＡ１０では両方の健康情報を規定しており、当該健康情報の全てを文字情報Ｉ４０として表示している。しかしながら、テーブルＴＡ３０では、優先順位がより高い「食中毒」に対応した括弧付き番号である（４）のみが規定されている。そして、音声出力部２３ｂを使用した音声による報知では、（４）に対応する音声メニュー６，９のみを再生するようになされる。
【００６９】
例えば、温度が２８℃であり湿度が９０％である場合には、食中毒が発生するおそれもあり、カビ・ダニが発生するおそれもあり、熱中症にかかるおそれもある。このため、テーブルＴＡ１０では３つの健康情報を規定しており、当該健康情報の全てを文字情報Ｉ４０として表示している。しかしながら、テーブルＴＡ３０では、優先順位がより高い「熱中症」に対応した括弧付き番号である（６）のみが規定されている。そして、音声出力部２３ｂを使用した音声による報知では、（６）に対応する音声メニュー５，１０のみを再生するようになされる。
【００７０】
複数の健康情報を音声により報知することも考えられる。しかしながら、それでは現在、最も注意すべき健康情報、換言すれば、健康情報の優劣がユーザにとって把握しづらくなり、また、全ての健康情報をユーザが聞き取る必要が生じてしまう。そこで、一実施形態では、優先順位を設定して当該優先順位に基づく健康情報が音声出力部２３ｂから再生されるようにしている。
【００７１】
「動作モードについて」
次に、温湿度計１に設定可能な動作モードについて説明する。図８は、温湿度計１に設定可能な動作モードを示している。一実施形態では、６つの動作モードが設定可能とされている。モード１は、光出力部２３ａの発光による健康情報の報知を行い、音声出力部２３ｂから通常の音量レベル（大きな音量）で健康情報を再生する動作モードである。モード２は、光出力部２３ａの発光による健康情報の報知を行い、音声出力部２３ｂから通常の音量レベルよりも小さい音量レベル（適宜、音量レベル小と略称する場合がある）で健康情報を再生する動作モードである。モード３は、光出力部２３ａの発光による健康情報の報知を行わず、音声出力部２３ｂから通常の音量レベルで健康情報を再生する動作モードである。モード４は、光出力部２３ａの発光による健康情報の報知を行わず、音声出力部２３ｂから音量レベル小で健康情報を再生する動作モードである。モード５は、光出力部２３ａの発光による健康情報の報知のみを行う動作モードである。モード６は、音声および発光による健康情報の報知を行わない動作モードである。このモード６は、例えば、旅行等の外出時に温湿度計１を携帯した場合に表示部２５のみを動作させるときに使用されるモードである。なお、これらの各動作モードにおいて、表示部２５への表示による健康情報の報知は常に行われる。
【００７２】
「温湿度計の全体的な処理の流れについて」
次に、制御部２１により実行される温湿度計１の全体的な処理の流れについて説明する。制御部２１は、温度センサ２２ｂにより検出される温度と、湿度センサ２２ｃにより検出される湿度とに基づいて、照度センサ２２ａにより検出される照度に応じた制御を報知部２３に対して実行する。
【００７３】
始めに、照度センサ２２ａによる照度が閾値（例えば、１０ルクス）以上である場合の処理の流れについて説明する。制御部２１は、例えば３０秒間隔で温度センサ２２ｂから出力される温度および湿度センサ２２ｃから出力される湿度を取得する。そして、取得した温度および湿度に応じて、テーブルＴＡ１０、テーブルＴＡ２０およびテーブルＴＡ３０を参照して、表示部２５に表示すべき文字情報Ｉ４０、光出力部２３ａの発光色、音声出力部２３ｂから再生する音声メニューを決定し、報知タイミングが到来したときに、設定中の動作モードに基づいてそれらを各出力形態で報知する。なお、温度および湿度が取得されるタイミング（例えば３０秒間隔）でもって、表示部２５における文字情報Ｉ１０（温度）および文字情報Ｉ２０（湿度）が更新表示される。
【００７４】
照度センサ２２ａによる照度が閾値以上である場合には、例えば２分に１回の間隔で光出力部２３ａの報知タイミング（お知らせ頻度）が設定されている。報知タイミングが到来したときの温度および湿度に対応した発光色がテーブルＴＡ２０に存在する場合は、制御部２１は当該発光色で光出力部２３ａを発光させる。
また、照度センサ２２ａによる照度が閾値以上である場合には、例えば１時間に１回の間隔で音声出力部２３ｂの報知タイミングが設定されている。報知タイミングが到来したときの温度および湿度に対応した音声メニューがテーブルＴＡ３０に存在する場合は、制御部２１は当該音声メニューに対応する音声を音声出力部２３ｂから再生する。但し、熱中症にかかるおそれが「危険」または「厳重警戒」に対応する温度および湿度が継続する場合には、３０分に１回の間隔で報知するように設定されている。
【００７５】
次に、照度センサ２２ａによる照度が閾値を下回った場合の処理の流れについて説明する。以下、図９Ａ乃至図９Ｅを参照して、照度センサ２２ａによる照度が閾値を下回った場合に、設定中の動作モード毎に対応した処理の流れについて説明する。
【００７６】
照度センサ２２ａによる照度が閾値を下回り、且つ、設定中の動作モードがモード１である場合には、制御部２１は、図９Ａに示す制御を実行する。すなわち、モード１は、光出力部２３ａおよび音声出力部２３ｂを動作させる動作モードであるため、制御部２１は、光出力部２３ａおよび音声出力部２３ｂに対する制御を実行する。
【００７７】
制御部２１は、報知タイミングが到来したときの温度および湿度に対応した発光色がテーブルＴＡ２０に存在する場合は、明るさ（出力レベル）を下げて光出力部２３ａを発光させる。また、制御部２１は、光出力部２３ａの報知タイミングの間隔を１時間に１回と長くなるように変更する。
【００７８】
さらに、制御部２１は、テーブルＴＡ３０において、現在の温度および湿度に対応して設定されている音声メニューが熱中症に関するものである場合にのみ、当該音声メニューに対応する音声を音声出力部２３ｂから再生する。換言すれば、制御部２１は、現在の温度および湿度により規定される領域が、テーブルＴＡ３０において（５），（６），（７），（９），（１０），（１１）が付された領域の何れかに対応する場合のみに、１時間に１回の間隔で音声出力部２３ｂを動作させる。そして、制御部２１は、括弧付きの番号に対応付けられた音声メニューに対応する音声により、熱中症に関する報知が行われるように音声出力部２３ｂを制御する。
【００７９】
さらに、制御部２１は、音量レベルを下げて（通常の音量レベルである第１の音量レベルより小さい第２の音量レベルで）音声メニューに対応する音声の再生が行われるように音声出力部２３ｂを制御する。
【００８０】
照度センサ２２ａによる照度が閾値を下回り、且つ、設定中の動作モードがモード２である場合には、制御部２１は、図９Ｂに示す制御を実行する。すなわち、モード２は、光出力部２３ａおよび音声出力部２３ｂを動作させる動作モードであるため、制御部２１は、光出力部２３ａおよび音声出力部２３ｂに対する制御を実行する。
【００８１】
制御部２１は、報知タイミングが到来したときの温度および湿度に対応した発光色がテーブルＴＡ２０に存在する場合は、明るさ（出力レベル）を下げて光出力部２３ａを発光させる。また、制御部２１は、光出力部２３ａの報知タイミングの間隔を１時間に１回と長くなるように変更する。
【００８２】
さらに、制御部２１は、テーブルＴＡ３０において、現在の温度および湿度に対応して設定されている音声メニューが熱中症に関するものである場合にのみ、当該音声メニューに対応する音声を音声出力部２３ｂから再生する。換言すれば、制御部２１は、現在の温度および湿度により規定される領域が、テーブルＴＡ３０において（５），（６），（７），（９），（１０），（１１）が付された領域の何れかに対応する場合のみに、１時間に１回の間隔で音声出力部２３ｂを動作させる。そして、制御部２１は、括弧付きの番号に対応付けられた音声メニューに対応する音声により、熱中症に関する報知が行われるように音声出力部２３ｂを制御する。
【００８３】
なお、モード２の場合は音量レベル小で音声を再生する動作モードであるため、音量レベルに関する制御は行われない。
【００８４】
照度センサ２２ａによる照度が閾値を下回り、且つ、設定中の動作モードがモード３である場合には、制御部２１は、図９Ｃに示す制御を実行する。すなわち、モード３は、光出力部２３ａを動作させず、音声出力部２３ｂのみを動作させる動作モードであるため、制御部２１は、音声出力部２３ｂに対する制御のみを実行する。
【００８５】
制御部２１は、テーブルＴＡ３０において、現在の温度および湿度に対応して設定されている音声メニューが熱中症に関するものである場合にのみ、当該音声メニューに対応する音声を音声出力部２３ｂから再生する。換言すれば、制御部２１は、現在の温度および湿度により規定される領域が、テーブルＴＡ３０において（５），（６），（７），（９），（１０），（１１）が付された領域の何れかに対応する場合のみに、１時間に１回の間隔で音声出力部２３ｂを動作させる。そして、制御部２１は、括弧付きの番号に対応付けられた音声メニューに対応する音声により、熱中症に関する報知が行われるように音声出力部２３ｂを制御する。
【００８６】
さらに、制御部２１は、音量レベルを下げて（通常の音量レベルである第１の音量レベルより小さい第２の音量レベルで）音声メニューに対応する音声の再生が行われるように音声出力部２３ｂを制御する。
【００８７】
照度センサ２２ａによる照度が閾値を下回り、且つ、設定中の動作モードがモード４である場合には、制御部２１は、図９Ｄに示す制御を実行する。モード４は、光出力部２３ａを動作させず、音声出力部２３ｂのみを動作させる動作モードであるため、制御部２１は、音声出力部２３ｂに対する制御のみを実行する。
【００８８】
制御部２１は、テーブルＴＡ３０において、現在の温度および湿度に対応して設定されている音声メニューが熱中症に関するものである場合にのみ、当該音声メニューに対応する音声を音声出力部２３ｂから再生する。換言すれば、制御部２１は、現在の温度および湿度により規定される領域が、テーブルＴＡ３０において（５），（６），（７），（９），（１０），（１１）が付された領域の何れかに対応する場合のみに、１時間に１回の間隔で音声出力部２３ｂを動作させる。そして、制御部２１は、括弧付きの番号に対応付けられた音声メニューに対応する音声により、熱中症に関する報知が行われるように音声出力部２３ｂを制御する。
【００８９】
なお、モード４の場合は音量レベル小で音声を再生する動作モードであるため、音量レベルに関する制御は行われない。
【００９０】
照度センサ２２ａによる照度が閾値を下回り、且つ、設定中の動作モードがモード５である場合には、制御部２１は、図９Ｅに示す制御を実行する。モード５は、光出力部２３ａのみを動作させ、音声出力部２３ｂを動作させない動作モードであるため、制御部２１は、光出力部２３ａに対する制御のみを実行する。
【００９１】
制御部２１は、報知タイミングが到来したときの温度および湿度に対応した発光色がテーブルＴＡ２０に存在する場合は、明るさ（出力レベル）を下げて光出力部２３ａを発光させる。また、制御部２１は、光出力部２３ａの報知タイミングの間隔を１時間に１回と長くなるように変更する。
【００９２】
なお、モード６は、光出力部２３ａおよび音声出力部２３ｂを動作させない動作モードであるため、先述したような光出力部２３ａおよび音声出力部２３ｂに対する制御は行われない。
【００９３】
なお、照度センサ２２ａにより検出される照度が閾値を上回った場合には、光出力部２３ａの発光の明るさを通常のレベルに戻し、音声出力部２３ｂから再生される音声の音量レベルを通常の音量レベルに戻す制御が適宜、行われる。
【００９４】
「入力部に対する操作に応じて行われる動作について」
次に、入力部２４に対する操作に応じて行われる動作について説明する。以下、入力部２４に対する操作と、操作に応じて制御部２１により制御される動作について説明する。
【００９５】
入力部２４として構成されるプッシュスイッチを１回、押下する操作がなされると、制御部２１は、現在の温度および湿度に応じた健康情報の有無を、テーブルＴＡ３０を参照して判断する。そして、健康情報がある場合には、制御部２１は音声出力部２３ｂを制御して、当該健康情報に対応する音声メニュー（図６における音声メニュー１〜１４の何れか）に基づく音声を再生する。すなわち、プッシュスイッチを１回、押下することにより、報知タイミングに関係なく音声出力部２３ｂから音による健康情報の再生を行うことができる。
【００９６】
健康情報の再生が終了してから一定時間内（例えば、３秒）に、プッシュスイッチを１回、押下する操作がなされると、制御部２１は、現在設定されている動作モードを判断する。そして、制御部２１は音声出力部２３ｂを制御して、現在設定されている動作モードに対応した音声メニュー（図６における音声メニュー１５〜２０の何れか）に基づく音声を再生する。
【００９７】
音声の再生が終了してから一定時間内（例えば、３秒）に、プッシュスイッチを１回、押下する操作がなされると、制御部２１は、動作モードを現在設定されている動作モードから次の動作モードに切り替えて設定する。そして、制御部２１は音声出力部２３ｂを制御して、切り替え後の動作モードに対応した音声メニュー（図６における音声メニュー１５〜２０の何れか）に基づく音声を再生する。以降、一定時間内にプッシュスイッチを押すと動作モードが切り替えられ、切り替え後の動作モードに対応した音声メニューに基づく音声が再生される。なお、一定時間内に操作がなされず、その後、プッシュスイッチを押す操作がなされたときは、始めに説明した動作（音による健康情報の再生）が行われる。
【００９８】
以上説明した一実施形態によれば、照度が低い場合には、光出力部２３ａの明るさを低くしたり、再生される音声の音量レベルを下げるので、夜間において温湿度計１の動作によりユーザの睡眠を妨害してしまうことを防止できる。また、ユーザが不在の時は、温湿度計１の電力消費を小さくでき省エネルギー化を実現できる。一方で、音声による報知を行う動作モードでは、熱中症に関しては音声による報知を常に行うようにしているので、近年、問題となっている睡眠時に無意識のうちに熱中症にかかってしまうおそれを低減できる。さらに、健康情報に優先順位を設定することにより、ユーザにとってより必要性の高い健康情報を報知できる。
【００９９】
また、従来の温湿度計の使用形態は、一般に、喉や肌の乾きを感じたり、体感温度の違和感等を感じたとき、換言すれば、人間の感覚に基づいて温湿度計を確認するという流れであった。しかしながら、一実施形態の温湿度計１によれば、前面の光出力部２３ａの発光色をユーザが見ることで、現在の環境と健康のリスクに関する情報との関係を概略的に知ることができ、その後、背面に配設された表示部２５をユーザが必要に応じて見ることにより詳細な情報を認識する、という新たな温湿度計１の使用形態を提供できる。
【０１００】
＜２．変形例＞
以上、本発明の一実施形態について説明したが、本発明は上述した実施形態に限定されるものではなく、本発明の技術思想の範囲内において種々の変更が可能である。以下、変形例について説明する。
【０１０１】
上述した一実施形態において、温湿度計１は、照度センサ２２ａがなくてもよい。この場合、照度に応じた制御を行わず、温度および湿度に対応した健康情報として複数の健康情報が存在する場合に、優先順位に基づく健康情報が報知される温湿度計として、本発明を構成することも可能である。より具体的には、少なくとも、温度センサと湿度センサとを含むセンサ部と、所定の情報を報知する報知部と、温度センサにより検出される温度と湿度センサにより検出される湿度とに対応した情報が、報知部から報知されるように該報知部を制御する制御部とを備え、制御部は、情報として複数の情報が対応する場合に、優先順位に基づく情報が報知されるように報知部を制御する健康情報喚起装置として本発明を構成することもできる。
【０１０２】
上述したテーブルＴＡ１０、テーブルＴＡ２０、テーブルＴＡ３０は一例であり、どの範囲にどのような健康情報を割り当てるかについては適宜、変更することができる。また、光出力部２３ａの発光色と健康情報との対応関係は例示であり、適宜、変更することができる。何れの健康情報にも該当しない場合にも、何らかの発光色を割り当ててもよい。また、各テーブルにおける温度のステップ幅（一実施形態では１℃）および湿度のステップ幅（一実施形態では５％）は、適宜、変更することができる。テーブルＴＡ１０、テーブルＴＡ２０、テーブルＴＡ３０は、書き換え可能な記憶部に記憶され更新可能なデータであってもよい。
【０１０３】
上述した温湿度計１の形状、大きさ、材質等は、適宜、変更することができる。また、上述した温湿度計１において、報知部２３は、光出力部２３ａおよび音声出力部２３ｂの少なくとも一方でもよく、振動により報知するもの等、他の構成を含んでいてもよい。
【０１０４】
上述した一実施形態では、照度センサ２２ａがベース１１に内蔵される例について説明したが、これに限定されるものではない。照度センサ２２ａが、突出部１２に内蔵されてもよく、ベース１１や突出部１２の表面に配置されてもよい。また、ベース１１や突出部１２に孔部を設け、当該孔部を介してベース１１や突出部１２に内蔵された照度センサ２２ａに光が当たるようにしてもよく、温湿度計１の外部と光が通じるような状態で照度センサ２２ａが配置されてもよい。
【０１０５】
入力部２４は、ロータリスイッチ、スライドスイッチ、タッチパネル、マイク等の入力媒体であってもよい。また、入力部２４は、別体のリモートコントローラからの遠隔操作入力を可能とする通信インターフェースによる入力媒体であってもよい。また、入力部２４として又は別途に設けられた電源スイッチにより電源のオン／オフがなされてもよい。また、電源部として、リチウムイオン電池等の充電可能な二次電池が使用されてもよい。
【０１０６】
入力部２４に対する操作に応じて行われる動作の内容は、上述した実施形態で説明した内容に限定されるものではない。制御部２１は、プッシュスイッチが押下された操作に応じて、現在の温度および湿度に応じた健康情報の有無を、テーブルＴＡ２０を参照して判断してもよい。そして、健康情報がある場合には、制御部２１は光出力部２３ａを制御して当該健康情報に対応する発光色でもって光出力部２３ａを発光させてもよい。
【０１０７】
動作モードの切替および設定を行う操作は、上述した実施形態で説明した操作に限定されるものではない。入力部２４として構成されるプッシュスイッチを１回、押下することにより動作モードを切り替え、プッシュスイッチを長押しすることにより動作モードを設定することができるようにしてもよい。
【０１０８】
表示部２５は、有機ＥＬ(Electro Luminescence)等の表示媒体であってもよい。
【０１０９】
照度が閾値より低い場合に、熱中症のおそれがより高い「危険」、「厳重警戒」のときのみ音声による報知を行うようにしてもよい。また、照度が閾値より低い場合に、音声出力部２３ｂを動作させない動作モード（モード５およびモード６）が設定されている場合でも、熱中症に関しては音声による報知を行うように構成してもよい。
【０１１０】
光出力部２３ａの明るさのレベルや、音声出力部２３ｂから再生される音声の音量レベルは２段階に限定されることはなく、３段階以上でもよい。制御における照度の閾値は１０ルクスに限定されることはなく、適宜、設定することができる。光出力部２３ａの発光態様は、一実施形態において例示した態様に限定されるものではなく、瞬時に発光および消灯してもよく、点灯させるようにしてもよい。
【０１１１】
上述した一実施形態では、光出力部２３ａが突出部１２に内蔵される例について説明したが、これに限定されるものではない。光出力部２３ａが、ベース１１に内蔵されてもよく、ベース１１や突出部１２の表面に配置されてもよい。また、ベース１１や突出部１２に孔部を設け、当該孔部を介して光出力部２３ａが温湿度計１の外部に向けて発光してもよく、温湿度計１の外部に光が通じるような状態で光出力部２３ａが配置されてもよい。なお、照度センサ２２ａおよび光出力部２３ａがベース１１や突出部１２の表面に配置される場合は、ベース１１および突出部１２が光透過性樹脂で構成されていなくてもよい。
【０１１２】
電池の残量が低下した場合に、電池を示すアイコンＩ３０を点滅させてもよく、光出力部２３ａを使用した光による報知を行わないようにしてもよい。なお、電池の残量が閾値より低下した場合でも、熱中症にかかるおそれがある場合には、その旨を音声により報知するようにしてもよい。
【０１１３】
本発明は、装置に限らず、方法、プログラム、プログラムを記録した記録媒体、システム等により実現することができる。プログラムは、例えば、ネットワークを介して、若しくは、光ディスクや半導体メモリ等の可搬型のメモリを介してユーザに提供し得る。
【符号の説明】
【０１１４】
１  温湿度計
２１  制御部
２２  センサ部
２２ａ  照度センサ
２２ｂ  温度センサ
２２ｃ  湿度センサ
２３  報知部
２５  表示部
【図１】
0006532056.tif 000002
【図２】
0006532056.tif 000003
【図３】
0006532056.tif 000004
【図４】
0006532056.tif 000005
【図５】
0006532056.tif 000006
【図６】
0006532056.tif 000007
【図７】
0006532056.tif 000008
【図８】
0006532056.tif 000009
【図９】
0006532056.tif 000010